(57)【特許請求の範囲】
【請求項１】
上下に配列した第１、第２の各収納部と、前記第１、第２の各収納部を所定の支持支点で支持して第１の収納部と第２の収納部とを連結し、各支持支点の間に設定した回転支点で回転することにより前記第１、第２の各収納部の上下位置を入れ換え可能に支持する支持部材と、前記第１、第２の収納部の荷重のバランスを調整する荷重調整機構を備えた昇降収納装置。
【請求項２】
支持部材の回転支点をその軸線と直角な向きに水平移動できるように支持する摺動支持部と、一方の収納部をほぼ鉛直方向に移動させる案内手段とを備えた請求項１に記載の昇降収納装置。
【請求項３】
第１、第２の収納部を上下入れ換えても、上下配列位置において、支持支点の軸がほぼ垂直位置に配列する請求項１または２に記載の昇降収納装置。
【請求項４】
荷重調整機構は重りを用いて構成した請求項１ないし３のいずれか１項記載の昇降収納装置。
【請求項５】
荷重調整機構は、第１収納部の支持支点側と第２収納部の支持支点側との間で重りを移動させる移動手段を備えた請求項４記載の昇降収納装置。
【請求項６】
重りの移動操作部を、第１収納部の支持支点側と第２収納部の支持支点側の両位置に配設した請求項５記載の昇降収納装置。
【請求項７】
重りは、第１の収納部と第２の収納部とを連結して各収納部間に設定した回転支点で回転する支持部材とともにケーシング内に格納し、かつ前記ケーシングには重りの位置を外方から識別するための覗き窓を形成した請求項４ないし６のいずれか１項記載の昇降収納装置。
【請求項８】
荷重調整機構は、上位置にある収納部の底面と下位置にある収納部の天井面との間で重りを移動させるように構成した請求項４記載の昇降収納装置。
【請求項９】
荷重調整機構は、第１、第２の各収納部をその上下配列位置にて配置した状態で、下位置にある収納部の下方、又は上位置にある収納部の上方で重りを移動させるように構成した請求項４記載の昇降収納装置。
【請求項１０】
第１、第２の各収納部を所定の姿勢に規制する姿勢規制手段を備え、一方の収納部又は双方の収納部に重りを装着し、重りは各収納部上を水平移動可能とした請求項４記載の昇降収納装置。
【請求項１１】
重りは任意の位置で固定可能とした請求項４〜１０のいずれか１項記載の昇降収納装置。
【請求項１２】
前記請求項１〜１１のいずれか１項に記載の昇降収納装置を、前面または前後面が開口したキャビネットの内部に配設した昇降収納キャビネット。
【発明の詳細な説明】
【０００１】
【発明の属する技術分野】
本発明は、上下に配列した２つの収納部を必要に応じてその上下位置をそれぞれの昇降により入れ換えられる昇降収納装置に関するものである。
【０００２】
【従来の技術】
吊り戸棚は元来、デッドスペースとなりがちな高所空間を有効に利用するのに利用されてきた。しかし、収納部が高所であるため踏み台等を用いないと物を自由に出し入れできない。近時では、吊り戸棚などの高所に設置される収納部を昇降できるように支持し、物の出し入れは下部位置で行い、収納は上部位置で行う昇降収納装置が提案され、実用されている。すなわち図１６に示すように、収納部１０１を平行リンクに構成された支持アーム１０２に支持させ、収納キャビネット１０３に内装させたものである。図中１０４は厨房装置等の作業台である。
【０００３】
参考文献としては特開平７−１４８０２９号公報、特開平７−１４８０３１号公報他があげられる。
【０００４】
しかし、このような昇降収納装置では、昇降する高さ距離が小さいためキャビネット１０３をあまり高い位置に配置することができないという問題点があった。
【０００５】
また、収納物により収納部１０１の重量が増したときに、上昇させるための操作に大きな力を加える必要があり、非力な女性や子供が使用するのに難があった。
【０００６】
そして、このような昇降収納装置を図１６のように厨房装置等の作業台上部に設置した場合では、収納部１０１はキャビネット１０３の手前側が下降位置となるので、収納部１０１を下降させた状態では流し台等の作業台１０４での作業ができなくなるという課題があった。
【０００７】
そこで、本発明者は新たに図のような昇降収納装置を提案した。すなわち図の昇降収納装置は、互いに連携する連携手段を設けた２つの収納部を上下に配置することにより、上方の収納部を約１８０度の回動により降下させると、その勢いで下方の収納部を上昇させて上下位置を入れ換えることができるというものである。具体的には、上下に配列した第１の収納部１１１と第２の収納部１１２と、各収納部を支持支点１１３、１１４で回転自在に支持して各収納部を連結し、支持支点１１３、１１４の間に設定した回転支点１１５を中心として回転する支持部材１１６と、回転支点１１５をその軸線と直角な向きに水平方向に移動できるように支持する摺動支持部１１７と、第１の収納部１１１の背部にローラー１１８を設け、キャビネット１１９の背板１１９ａにローラー１１８を当接させる構成としたものである。１２０は収納部１１２に設けられた把手である。
【０００８】
この昇降収納装置は、使用者が把手１２０を握り、収納部１１２を前方に引き出すと、収納部１１２を支持し、収納部１１１と連結させている支持部材１１６が回転支点１１５を中心として回転するので、収納部１１２は上昇方向へ移動すると同時に収納部１１１を下降方向へと移動させる。収納部１１１の背部に設けられたローラー１１８は背板１１９ａに当接し、移動時における収納部１１１の後方への突出を許さない構成としているので、支持部材１１６は回転支点１１５を摺動支持部１１７を介して前方へ移動させ、収納部１１１、１１２の干渉を最小限に抑えながら入れ替え動作を完了する。
【０００９】
このように、本提案による昇降収納装置により、昇降する高さ距離を従来より大きく取ることが可能となり、より高い位置への設置が実現できると共に、各収納部の重量が増したときでも、一方の収納部の下降の勢いによりもう一方の収納部の上昇方向への力を軽減することができ、非力な女性や子供や高齢者にとっても使いやすい昇降収納装置を実現することが可能となった。加えて１８０度の回動により収納部の収納箱体より前方への突出分がなくなるので、収納部を下降させた状態での流し台等の作業台での作業が可能となるという効果があった。
【００１０】
【発明が解決しようとする課題】
しかしながら、このような昇降収納装置であっても、第１と第２の収納部の重量差が大きい場合、収納部の上下入れ換え昇降操作の際に大きな力を要したり、急激な昇降動作が発生するなど、操作性に改良が求められていた。
【００１１】
本発明は、上下入れ替え昇降操作が楽で、しかも安全性の高い昇降収納装置を提供することを目的としたものである。
【００１２】
【課題を解決するための手段】
上記課題を解決するため、本発明の昇降収納装置は、収納部を回動支点まわりに回動させて、上方位置とそのほぼ真下の下方位置との間で昇降させる収納部昇降装置において、荷重調整機構を設けた構成としてある。
【００１３】
そして、荷重調整機構によって収納部の荷重のバランスを調整することにより、軽い操作力で収納部を昇降させることができる。
【００１４】
【発明の実施の形態】
本発明の請求項１にかかる昇降収納装置は、上下に配列した第１、第２の各収納部と、前記第１、第２の各収納部を所定の支持支点で支持して第１の収納部と第２の収納部とを連結し、各支持支点の間に設定した回転支点で回転することにより前記第１、第２の各収納部の上下位置を入れ換え可能に支持する支持部材と、前記第１、第２の収納部の荷重のバランスを調整する荷重調整機構を備えた構成としてあり、荷重調整機構によって収納部の荷重のバランスを調整することにより、軽い操作力で第１、第２の収納部の入れ換えができる。また急速な昇降動作を防止し、安心して使用することができる。
【００１５】
本発明の請求項２にかかる昇降装置は、支持部材の回転支点をその軸線と直角な向きに水平移動できるように支持する摺動支持部と、一方の収納部をほぼ鉛直方向に移動させる案内手段とを備えた構成としてある。
【００１６】
そして、回転支点をその軸線と直角な向きに水平移動させ、このとき一方の収納部をほぼ鉛直方向に案内すると、他方の収納部は水平運動しながら回動し一旦前方へ移動し再び後方へ戻り、第１、第２の各収納部はその位置で上下配列を反転することができる。このような動作により、各収納部を収容するスペースは非常にコンパクトに構成できるので、昇降収納装置の設置性が良好なものとなる。
【００１７】
本発明の請求項３にかかる昇降収納装置は、第１、第２の収納部を上下入れ換えても、上下配列位置において、支持支点の軸がほぼ垂直位置に配列する構成としてあり、これにより収納部を上下入れ換えても収納部が収納箱体より前方への突出することがない。
【００１８】
本発明の請求項４にかかる昇降収納装置は、荷重調整機構を重りを用いて構成してあり、重りを付加するだけであるから比較的安価に提供することができる。
【００１９】
本発明の請求項５にかかる昇降収納装置は、荷重調整機構は第１収納部の支持支点側と第２収納部の支持支点側との間で重りを移動させる移動手段を備えた構成としてあり、第１、第２の収納部間で重りを移動させるだけであるから、極めてシンプルな構造とすることができる。
【００２０】
本発明の請求項６にかかる昇降収納装置は、重りの移動操作部を、第１収納部の支持支点側と第２収納部の支持支点側の両位置に配設した構成としてあり、本昇降収納装置を天井下などの高所に設置する場合、重りの移動操作を下側収納部の手の届きやすい位置で行え、また床上など低所に設置する場合は、重りの移動操作を上側収納部のしゃがむ必要がない位置で行えるため、極めて操作性の良好なものとなる。
【００２１】
本発明の請求項７にかかる昇降収納装置は、重りを、第１の収納部と第２の収納部とを連結して各収納部間に設定した回転支点で回転する支持部材とともにケーシング内に格納し、かつ前記ケーシングには重りの位置を外方から識別するための覗き窓を形成した構成としてあり、重りはケーシングで隠されているため外観が良好であり、また昇降動作において支持部材が回転する際、支持部材上の重りが直に使用者に当接するのを防止でき、安全上も有効である。
【００２２】
本発明の請求項８にかかる昇降収納装置は、荷重調整機構は、上位置にある収納部の底面と下位置にある収納部の天井面との間で重りを移動させるように構成してあり、上方の収納部の底面と下方の収納部の天井面は最接近しているため、重りの移動構造や移動作業は極めて容易なものにすることができる。
【００２３】
本発明の請求項９にかかる昇降収納装置は、荷重調整機構は、第１、第２の各収納部をその上下配列位置にて配置した状態で、下位置にある収納部の下方、又は上位置にある収納部の上方で重りを移動させる構成としてあり、前記の収納部と接近しているため、重りの移動構造や移動作業は極めて容易なものにすることができる。
【００２４】
本発明の請求項１０にかかる昇降収納装置は、第１、第２の各収納部を所定の姿勢に規制する姿勢規制手段を備え、一方の収納部又は双方の収納部に重りを装着し、重りは各収納部上を水平移動可能とした構成としてあり、重りを水平方向に移動すると、収納部の重心も移動し回転支点からの収納部の重力回転モーメントが可変し、各収納部間の荷重バランスを調整することができる。この時、重りの移動は水平方向であり、重力方向に上げ下げする必要がないのでバランス調整操作が極めて楽に行うことができる。また、第１、第２の各収納部はその上下反転昇降動作において所定の姿勢に規制されているため、収納物品を安定して保管出し入れすることができる。
【００２５】
本発明の請求項１１にかかる昇降収納装置は、重りを任意の位置で固定可能とした構成としてあり、重りが連続的に任意の位置に固定できるため、各収納部に収納する物品の重さの違いに対応してきめ細かくバランス調整をすることができる。
【００２６】
本発明の請求項１２にかかる昇降収納キャビネットは、本発明の昇降収納装置を、前面または前後面が開口したキャビネットの内部に配設することにより、荷重調整機構によって収納部の荷重のバランスを調整することができ、第１の収納部と第２の収納部をキャビネット内での上下配列位置を軽い操作力で入れ換えることができる。
【００２７】
【実施例】
以下、本発明の実施例について図面を用いて説明する。
【００２８】
（実施例１）
図１〜図７は本発明の実施例１を示す。
【００２９】
まず、実施例１が採用している昇降機構を、図１〜図５を用いて説明する。
【００３０】
図１は本発明の実施例１における昇降収納装置の側方断面図である。図２は同実施例における昇降収納装置の正面要部断面図である。図３は同実施例における昇降収納装置のキャビネットを除いた状態における斜視図である。図４は一方の昇降機構を正面から見た要部断面図である。図５（ａ）〜（ｇ）は同実施例における昇降収納装置の入れ替え動作順序を説明する側方断面図である。
【００３１】
図１が示すように、昇降機構１は、第１の収納部２の支持支点Ｐ１と第２の収納部３の支持支点Ｐ２との間を連結する支持部材となる支持アーム４と、収納部２、３をその上下配置位置において収容し前面を開口したキャビネット５の両側板に取り付けられて前記支持アーム４の回転支点Ｏを水平方向に移動自在に支持する摺動支持部６と、第１の収納部２を回転角度にかかわらず一定の水平姿勢に維持する第１の姿勢規制手段７ａと、第２の収納部３の水平姿勢を維持する第２の姿勢規制手段７ｂと、その昇降時の移動経路を規制する案内手段８とを備えている。そして上記案内手段８を構成するガイド９ａはキャビネット５の背面に取り付けられ、ガイド９ａは第２の収納部３の背部の上下に設けられたガイドローラー９ｂを受け入れて前後の移動を阻止し、収納部３を垂直方向にだけ動くように案内する。
【００３２】
以上の昇降機構１は図２に示すように、左右対称位置に昇降機構１Ｌ、１Ｒとして配備され、各支持アーム４Ｌ、４Ｒの各回転支点Ｏ間は連結軸１０で連結され、左右の昇降機構１Ｌ、１Ｒが同期して動作するように構成されている。これにより第１、第２の各収納部２、３は左右が一体に支持され、収納物の片寄りにより荷重が左右でアンバランスな状態でも、ねじれたり傾くようなことがなく、左右の動きに差が生じるようなことが解消される。
【００３３】
図４に示す昇降機構１Ｌを例にしてさらに説明すると、支持アーム４Ｌはその回転支点Ｏに対応する中間部で連結軸１０で連結され水平移動軸１１Ｌによりキャビネットの側板内面１２に回動自在に支持され、水平移動軸１１Ｌはその上下に配したローラ１３ａ，１３ｂを摺動支持部６Ｌの上下にコの字状の断面形状に形成された凹部に装入させ、摺動支持部６Ｌを水平方向に円滑に移動できるようにされている。また、水平移動軸１１Ｌの先端には固定プーリ１４Ｌが回転支点Ｏと同心で固定されている。
【００３４】
支持アーム４Ｌの両端部の支持支点Ｐ１，Ｐ２位置に固定された軸１５Ｌａ、１５Ｌｂにはそれぞれ回転プーリ１６Ｌと回転輪１７Ｌが同心で回動自在に装着され、この回転プーリ１６Ｌには第１の収納部２が、回転輪１７Ｌには第２の収納部３が、それぞれ側板２Ｌ、３Ｌのほぼ中央部で固定支持されている。
【００３５】
上記の固定プーリ１４Ｌと回転プーリ１６Ｌは同径寸法に設定され、両者間にはタイミングベルト１８が掛け渡され、第１の姿勢規制手段７ａを構成している。
【００３６】
ここで、昇降機構１による各収納部２、３の昇降動作について図５の（ａ）〜（ｇ）に基づき説明する。
【００３７】
図５の（ａ）に示すようにキャビネット５に収納された第１の収納部２と第２の収納部３との上下位置を入れ換えるときには、ガイドローラー９ｂを持たない第１の収納部２の操作ハンドルＡを手前に引き出す。すると第１の収納部２は支持支点Ｐ１が支持アーム４の回転支点Ｏを中心として前方に回動されるので、第２の収納部３は支持支点Ｐ２が後方に回動しようとするが、第２の収納部３側はガイドローラー９ｂをガイド９ａ押し付けて受け止められることにより垂直方向の案内を受けるので、支持アーム４が回動する動作でその回転支点Ｏを摺動支持部６内で水平方向に押し出しながら、図５（ｂ）〜（ｄ）に示すように第２の収納部３は第１の収納部２の回動に伴って垂直方向に上昇する。
【００３８】
図５（ｄ）に示す状態からさらに第１の収納部２を回動させると、前記と反対に支持アーム４の回動支点Ｏは元の位置に戻る方向に引き寄せられ、図５の（ｅ）〜（ｆ）に示すように、第１の収納部２は回動しつつキャビネット５内の下方に進入して行くのに連動して、第２の収納部３は垂直方向にさらに上昇し、図５の（ｇ）に示すように第１の収納部２が第２の収納部３が元配列されていた下方位置に入ったとき、第２の収納部３は第１の収納部２が元配列されていた上方位置に上昇して、第１の収納部２と第２の収納部３との配列位置が上下入れ替わる。
【００３９】
図５の（ｇ）に示す状態から第１の収納部２を引き出し、上記操作と逆方向に回動させると、第２の収納部３は垂直方向に下降し、図５の（ｆ）〜（ａ）の逆動作でそれぞれ元の配列位置に復帰させることができる。
【００４０】
このような各収納部２、３の上下入れ替え動作において、第１の収納部２は支持アーム４によって支持支点Ｐ１に１軸で回動自在に支持されているので、支持支点Ｐ１に対する第１の収納部２の重心のずれや第１の収納部２の回動操作により水平姿勢が傾こうとする。ここで第１の収納部２に固定支持されている回転プーリ１６は回転支点Ｏにある固定プーリ１４との間でタイミングベルト１８が掛け渡され、滑りのない形で回転連動している。今、回転プーリ１６と固定プーリ１４は同径に設定しており、タイミングベルト１８は第１の収納部２が回動して支持アーム４の支持角度が変化する方向と逆の方向に同角度だけ第１の収納部２を回転させる働きを営み、結果として第１の収納部２は常にその水平姿勢を維持することができる。
【００４１】
次に前記の昇降機構をベースに、荷重調整機構１９を付加した構成を図６、図７を用いて説明する。
【００４２】
なお、図６は本実施例における昇降収納装置の側方断面図である。図７は同実施例における入れ替え動作順序を説明する側方断面図である。
【００４３】
荷重調整機構１９はバランス調整体である重り２２とこれを移動させてバランスをとる移動手段２３ａ、２３ｂとからなる。以下その構成を説明していくと、前記の支持アーム４にはこれを格納するケーシング２７と一体に構成してあり、前記ケーシング２７の両端部にはリードネジ２０を回転自在に保持する係止部２１ａ、２１ｂを設け、リードネジ２０の両端にはそれぞれかさ歯車２４ａ、２４ｂを固定し、またこれらと直角にかさ歯車２５ａ、２５ｂをそれぞれ連結し、かさ歯車２５ａ、２５ｂには回転操作軸２６ａ、２６ｂを固定して構成してある。そして上記回転操作軸２６ａ、２６ｂの先端には重りの移動操作部となる六角頭Ｂが形成されており、ボックスドライバーなどを使って回転操作することにより重り２２を支持アーム４と平行に移動させることができるようにしてある。
【００４４】
ここで重り２２にはネジ切り部２２ｓが形成され、リードネジ２０に噛み合って取り付けられており、回転操作軸２６ａ又は２６ｂを回すことにより、かさ歯車２５ａ、２５ｂからかさ歯車２４ａ、２４ｂに伝わりリードネジ２０を回転させ、重り２２を支持アーム４と平行にスライド移動させることができる。またリードネジ２０のネジ傾斜を緩やかにしておけば、重り２２は任意の位置で停止固定され昇降動作中に動くことはない。
【００４５】
ここで例えば、第１の収納部２側の重量が第２の収納部３側より過度に重たくなった場合は、重り２２を第２の収納部３の支持支点Ｐ２の方向にスライド移動させればよく、これにより回転支点Ｏの両側の釣合いがとれ、昇降操作力の軽減を図ることができる。当然、上記と収納部２、３の重量設定が反対になった場合も釣合い操作は同様に行える。
【００４６】
また、リードネジ２０と重り２２がスライド移動する空間は、支持アーム４と一体となったケーシング２７に格納され、ケーシング２７の端部や中央部などの要所には、覗き窓２８が形成されている。これにより、重り２２の移動空間をカバーしてすっきりさせると共に、収納部２、３の上下昇降時に回転する支持アーム４に付設された重り２２が使用者に直接当たる危険を防止する保護カバーの役割を果たすことができる。また、覗き窓２８が要所に設けられているので、重り２２がどの位置に保持されているのかを容易に確認することができ、バランス調整もし易くなっている。
【００４７】
また、支持アーム４の両端部共に設けられた移動手段２３ａ、２３ｂにより、上下いずれの位置でもバランス調整が可能であり、また支持アーム４が半転した（ｃ）の位置でもキャビネット５の前方からバランス調整が可能となっている。
【００４８】
（実施例２）
図８は本発明の実施例２の昇降収納装置を示す側方断面図である。なお、実施例１と同一符号のものは同一構造を有し、説明は省略する。特に、昇降機構は実施例１と同一である。
【００４９】
本実施例２において、実施例１と異なる点は荷重調整機構であり、重り２２は支持アーム４上をスライド移動するのではなく回転移動することにある。すなわち重り２２は支持アーム４上の回転支点Ｏの近傍に設けられた軸Ｄを支点として回動する重り支持棒２８の先端に支持されており、これを回転させることにより、支持アーム４の支持支点Ｐ１側もしくは支持支点Ｐ２側のどちらかに移動でき、この位置でキャッチ２９により固定させることができる。
【００５０】
これによれば、重りの移動機構は極めて簡易なものとなり、また移動操作も重り２２を反転するだけの極めて素早いものとすることができる。
【００５１】
なお、上記の重り２２の移動機構を左右の支持アーム４Ｌ、４Ｒにそれぞれ装備し、左右で重り２２を異方向に配置すれば、重りを各支持支点Ｐ１、Ｐ２側に等配分することができる。
【００５２】
（実施例３）
図９は本発明の実施例３の昇降収納装置を示す側方断面図である。なお、実施例１と同一符号のものは同一構造を有し、説明は省略する。特に、昇降機構は実施例１と同一である。
【００５３】
本実施例３において、実施例１と異なる点は荷重調整機構であり、重り２２は支持アーム４上をスライド移動するのではなく、第１の収納部２と第２の収納部３間を移り渡るものである。
【００５４】
今、上方に位置する第１の収納部２の底面と下方に位置する第２の収納部３の天井面にはそれぞれ板状のマグネット３０ａ、３０ｂが取り付けられており、第２の収納部３側のマグネット３０ｂには鉄製の重り２２が吸着している。
【００５５】
ここで重り２２を後方にずらせていくと、重り２２はマグネット３０ｂを離れ、第１の収納部２側のマグネット３０ａに吸着移動する。マグネット３０ａに吸着した重り２２を今度は前方にずらせていけば同様にして、再び元の位置に戻すことができる。
【００５６】
これによれば、重り２２の上下移動を最短距離にして各収納部２、３間の重量釣合いを調整することができるため、重り２２の移動機構は極めて簡易なものとなり、またその移動操作も極めて省力化することができる。
【００５７】
なお、上方に位置する第２の収納部３の底面と下方に位置する第１の収納部２の天井面との間で重り２２の受け渡しをしても同様のことが言える。
【００５８】
また、図９では重り２２の装着は1個であるが、これを小さくして複数個装備すれば、
きめ細かい重量調整をすることもできる。
【００５９】
（実施例４）
図１０は本発明の実施例４の昇降収納装置を示す断面図である。なお、実施例１、実施例３と同一符号のものは同一構造を有し、説明は省略する。特に、昇降機構は実施例１と同一である。
【００６０】
本実施例４において、実施例３と異なる点は荷重調整機構であり、第１第２の各収納部２、３をその上下配列位置で収容するキャビネット５の内側底面と、第１又は第２の収納部２、３が下方に配置された位置にマグネット３０ａ、３０ｂ、３０ｃを設けてこれらの間、すなわち収納部底面間で重り２２は移動する。これによれば、重り２２の上下移動距離は少なく、簡易な重り移動機構で楽に移動操作が行える。
【００６１】
なお図１０では重り２２の移動はキャビネット５の内側底面と下方に配置された位置の収納部底面間としたが、キャビネット５の内側天面と上方に配置された位置の収納部天面間でもよい。また重り２２を複数個備えることによりきめ細かな重量調整が行えるのは同様である。
【００６２】
（実施例５）
図１１は本発明の実施例５の昇降収納装置を示す断面図である。なお、実施例１、実施例３と同一符号のものは同一構造を有し、説明は省略する。特に、昇降機構は実施例１と同一である。
【００６３】
本実施例５において、実施例３と異なる点は荷重調整機構と重りの移動方向であり、重り２２は第１の収納部２の天井面に装着され、スライドレール３１により水平前後方向に移動し固定自在となっている。
【００６４】
ここで重り２２を前方に移動固定すると、回転支点Ｏに対し第１の収納部２側の重心は遠くなり、降下回転しようとする回転モーメントは増加し、反対に重り２２を後方に移動固定すると前記回転モーメントは減少する。
【００６５】
このように、重り２２を前後に水平移動させることにより、各収納部２、３間の重量釣合いを調整することができる。特に、重り２２の移動は水平方向でよく、上下方向に移動する必要がないため、移動操作に要する力が極少で、楽に調整作業が行える。
【００６６】
なお、必要により、第２の収納部３の方にも上記と同様のバランス調整手段を搭載することは可能である。
【００６７】
（実施例６）
次に、上記実施例１〜５と昇降機構を異にする本発明の実施例６を図１２、図１３を用いて説明する。なお、実施例１と同一符号のものは同一構造を有し、説明は省略する。特に、荷重調整機構は実施例１と同一である。
【００６８】
なお、図１２は本実施例における昇降収納装置の側方断面図であり、図１３（ａ）〜（ｃ）はその動作順序を模式的に示す側方断面図である。
【００６９】
キャビネット５内に、第１の収納部２と第２の収納部３とを上下に配列し、これらの支持支点Ｐ1、Ｐ2の間を支持アーム４で連結支持し、この支持アーム４の中間点を回転支点Ｏとして、各収納部２、３を両側面で支持している点は、上記実施例１〜５と同じである。異なる点は、キャビネット５の前面、後面を開放状態にしている点、回転支点Ｏをキャビネット５内に固定している点、および固定プーリ１４と同径寸法に設定された回転プーリ１６ａを第２の収納部３にも設け、両者間にタイミングベルト１８ａを掛け渡して第２の姿勢規制手段７ｂを構成している点である。
【００７０】
上記構成による動作としては、第１の収納部２または第２の収納部３を前面または後面方向に引き出すように回動させると、支持アーム４で連結された他方収納部も回動し、各収納部は図１３（ａ）〜（ｃ）に図示するように１８０度の回動を行い、第１の収納部２と第２の収納部３との上下位置が入れ換わるものである。
【００７１】
上記構成において、下方位置を収納物の出し入れのしやすい位置に設定すると、出し入れの困難な上方位置の収納物も、回動により上下位置を入れ換えることができるので、いずれの収納部も有効に使用することができる点は上記実施例１〜５と同じであるが、本構成は摺動支持部を必要としない分構成の簡素化が図れるという効果を有するものである。また、各収納部２、３の両面に出し入れ口を設けておけば前面、後面の両方から出し入れでき、更に、所望の回転方向に自在に回転させ得るので上下入れ換え操作が楽になる利点がある。また、本昇降機構に荷重調整機構を採用した場合、支持アーム４の両端部共に設けられた重り移動操作部２３ａ、２３ｂがいずれの位置においても操作可能となるので、上下、前後、どこからでもバランス調整が可能であり、更に利便性の良いものとなる。
【００７２】
なお、図示はしないが、本昇降機構に前記各実施例２〜５のバランス調整手段を採用しても、上下入れ替え昇降操作が楽で、しかも安全性の高い昇降収納装置を提供するという本願発明の目的を達成できるものである。
【００７３】
（実施例７）
次に、上記実施例１〜６と昇降機構を異にする本発明の実施例７を示す。
【００７４】
まず、実施例７が採用している昇降機構を、図１４、図１５を用いて説明する。
【００７５】
なお、実施例１と同一符号のものは同一構造を有し、説明は省略する。特に、荷重調整機構は実施例１と同一である。
【００７６】
なお、図１４は本実施例における昇降収納装置の側方断面図である。また、図１５（ａ）〜（ｃ）は本実施例における昇降収納装置の動作順序を模式的に示す側方断面図である。
【００７７】
図１４において、キャビネット５内に第１の収納部２と第２の収納部３とを上下に配列し、これらの支持支点Ｐ１、Ｐ２の間を支持アーム４で連結支持し、この支持アーム４の中間点をキャビネット５に支持された回転支点Ｏとして、各収納部２、３を両側面で回転自在にキャビネット５で支持し構成している点、および回転支点Ｏを水平方向に移動自在に支持する摺動支持部６を設けている点は上記実施例１〜５と同じである。また、キャビネット５の前面、後面を開放状態にしている点、および固定プーリ１４と同径寸法に設定された回転プーリ１６ａを第２の収納部３にも設け、両者間にタイミングベルト１８ａを掛け渡して第２の姿勢規制手段７ｂを構成している点は、上記実施例６と同じである。異なる点は、各収納部２、３の昇降経路を規制する昇降経路規制手段にキャビネット５および支持アーム４上に固定されたリンク３２を採用している点、キャビネット５の前面、後面に扉３３を設けている点である。
【００７８】
上記構成による動作としては、図１５（ａ）の状態から第１の収納部２を手前に引き出しつつ回動させると、第１の収納部２は支持支点Ｐ1  で支持アーム４を回転支点Ｏを中心として回動させるので、第２の収納部３も支持支点Ｐ2で後方に回動しようとするが、支持アーム４の第２の収納部３側にはリンク３２が連結されているので、支持アーム４が回動する動作で支持アーム４の回転支点Ｏを摺動支持部６内で水平方向に移動させ、第２の収納部３は第１の収納部２の回動に伴って鉛直方向に上昇する。更に第１の収納部２を回動させると、リンク３２による支持アーム４の作用方向が変わるので、回転支点Ｏは戻る方向に移動し、第１の収納部２は回動しつつキャビネット５内の下方に侵入し、第２の収納部３は鉛直方向に更に上昇して、第１の収納部２が第２の収納部２が配列されていた下方位置に入ったとき、第２の収納部３は第１の収納部２が配列されていた上方位置に上昇して、第１の収納部２と第２の収納部３との配列位置が入れ換わる。第１の収納部２を引出し、上記操作と逆方向に回動させると、第２の収納部３は下降し、逆動作でそれぞれ元の配列位置に復帰させることができる。
【００７９】
上記構成において、下方位置を収納物の出し入れのしやすい位置に設定すると、出し入れの困難な上方位置の収納物も、回動により上下位置を入れ換えることができるので、いずれの収納部も有効に使用することができる点は上記実施例１〜６と同じである。本構成によれば、キャビネットの背面を昇降経路規制手段として利用しないことにより、キャビネット両面を開放することが可能となり、収納部を両面から使用することが可能となるものである。
【００８０】
なお、図示はしないが、本昇降機構に前記各実施例２〜５の荷重調整機構を採用しても、上下入れ換え昇降操作が楽で、しかも安全性の高い昇降収納装置を提供するという本願発明の目的を達成できるものである。
【００８１】
なお、上記各実施例全てにおいて、その設置位置を、例えば下方位置を収納物の出し入れのしやすい高さ位置（アイレベル）に設定しておくと、出し入れのしにくい上方位置にある収納部も随時下方位置に移動できるので、一般には出し入れがしにくく単なる保管スペースとしてしか利用できない上方の収納スペースを上記構成によって有効に利用することができるものである。
【００８２】
【発明の効果】
以上説明したように本発明の請求項１に係る昇降収納装置は、荷重調整機構によって収納部の荷重のバランスを調整することにより、軽い操作力で第１、第２の収納部の入れ換えができる。また急速な昇降動作を防止し、安心して使用することができる。
【００８３】
本発明の請求項３にかかる昇降収納装置は、各収納部の上下の入れ換えがスムーズに行える。
【００８４】
本発明の請求項２にかかる昇降装置は、各収納部を収容するスペースは非常にコンパクトに構成できるので、昇降収納装置の設置性が良好なものとなる。
【００８５】
本発明の請求項３にかかる昇降装置は、収納部を上下入れ換えても収納部が収納箱体より前方への突出することがない。
【００８６】
本発明の請求項４にかかる昇降収納装置は、重りを付加するだけであるから比較的安価に提供することができる。
【００８７】
本発明の請求項５にかかる昇降収納装置は、第１、第２の収納部間で重りを移動させるだけであるから、極めてシンプルな構造とすることができる。
【００８８】
本発明の請求項６にかかる昇降収納装置は、本昇降収納装置を天井下などの高所に設置する場合、重りの移動操作を下側収納部の手の届きやすい位置で行え、また床上など低所に設置する場合は、重りの移動操作を上側収納部のしゃがむ必要がない位置で行えるため、極めて操作性の良好なものとなる。
【００８９】
本発明の請求項７にかかる昇降収納装置は、重りはケーシングで隠されているため外観が良好であり、また昇降動作において支持部材が回転する際、支持部材上の重りが直に使用者に当接するのを防止でき、安全上も有効である。
【００９０】
本発明の請求項８にかかる昇降収納装置は、上方の収納部の底面と下方の収納部の天井面は最接近しているため、重りの移動構造や移動作業は極めて容易なものにすることができる。
【００９１】
本発明の請求項９にかかる昇降収納装置は、重りの移動構造や移動作業を極めて容易なものにすることができる。
【００９２】
本発明の請求項１０にかかる昇降収納装置は、重りを水平方向に移動すると、収納部の重心も移動し回転支点からの収納部の重力回転モーメントが可変し、各収納部間の荷重バランスを調整することができる。この時、重りの移動は水平方向であり、重力方向に上げ下げする必要がないのでバランス調整操作が極めて楽に行うことができる。また、第１、第２の各収納部はその上下反転昇降動作において所定の姿勢に規制されているため、収納物品を安定して保管出し入れすることができる。
【００９３】
本発明の請求項１１にかかる昇降収納装置は、重りが連続的に任意の位置に固定できるため、各収納部に収納する物品の重さの違いに対応してきめ細かくバランス調整をすることができる。
【００９４】
本発明の請求項１２にかかる昇降収納キャビネットは、荷重調整機構によって収納部の荷重のバランスを調整することができ、第１の収納部と第２の収納部をキャビネット内での上下配列位置を軽い操作力で入れ換えることができる。
【図面の簡単な説明】
【図１】  本発明の実施例１における昇降収納装置の側方断面図
【図２】  同実施例１における昇降収納装置の正面要部断面図
【図３】  同実施例１における昇降収納装置の斜視図
【図４】  同実施例１における一方の昇降機構を正面から見た要部断面図
【図５】  （ａ）〜（ｇ）は同実施例１における昇降収納装置の入れ替え動作順序を説明する側方断面図
【図６】  本発明の実施例１における昇降収納装置の側方断面図
【図７】  （ａ）〜（ｃ）は同実施例１における昇降収納装置の入れ替え動作順序を説明する側方断面図
【図８】  本発明の実施例２における昇降収納装置の側方断面図
【図９】  本発明の実施例３における昇降収納装置の側方断面図
【図１０】  本発明の実施例４における昇降収納装置の側方断面図
【図１１】  本発明の実施例５における昇降収納装置の側方断面図
【図１２】  本発明の実施例６における昇降収納装置の側方断面図
【図１３】  （ａ）〜（ｃ）は同実施例６における昇降収納装置の入れ替え動作順序を説明する側方断面図
【図１４】  本発明の実施例７における昇降収納装置の側方断面図
【図１５】  （ａ）〜（ｃ）は同実施例７における昇降収納装置の入れ替え動作順序を説明する側方断面図
【図１６】  従来の昇降収納装置を示す側方断面図
【図１７】  本発明者が発明する前に提案した昇降収納装置を示す側方断面図
【図１８】  （ａ）〜（ｇ）同昇降収納装置の入れ替え動作順序を説明する側方断面図
【符号の説明】
１  昇降機構
２  第１の収納部
３  第２の収納部
４  支持アーム（支持部材）
５  キャビネット
６  摺動支持部
７ａ、７ｂ  姿勢規制手段
８  案内手段
１９  荷重調整機構
２２  重り
２３ａ、２３ｂ  重りの移動手段
２７  ケーシング
２８  覗き窓
Ｂ  六角頭（重りの移動操作部）
Ｏ  回転支点
Ｐ１  第１の収納部の支持支点
Ｐ２  第２の収納部の支持支点
【図１】
0003704964.tif 000002
【図２】
0003704964.tif 000003
【図３】
0003704964.tif 000004
【図４】
0003704964.tif 000005
【図５】
0003704964.tif 000006
【図６】
0003704964.tif 000007
【図７】
0003704964.tif 000008
【図８】
0003704964.tif 000009
【図９】
0003704964.tif 000010
【図１０】
0003704964.tif 000011
【図１１】
0003704964.tif 000012
【図１２】
0003704964.tif 000013
【図１３】
0003704964.tif 000014
【図１４】
0003704964.tif 000015
【図１５】
0003704964.tif 000016
【図１６】
0003704964.tif 000017
【図１７】
0003704964.tif 000018
【図１８】
0003704964.tif 000019